(57)【要約】【課題】複数の照明器具からなる照明システムにおいて、照明器具が配置の順に発光動作し、各発光動作に時間差を持たすなどの変化を与えることができる。【解決手段】照明システム１００は、一列に沿って配置された複数の照明器具１、２、３・・と、リモコン２０とを備え、各照明器具は、受信部１２と送信部１３とによって、互いに隣接したもの同士でのみ通信可能に構成されている。リモコン２０は、照明器具の列の先頭の照明器具１にのみ到達する通信信号ｓを送信する送信部２２を備える。通信信号ｓには照明器具の発光態様に関する情報と、受信から送信までの待ち時間に関する情報が含まれ、各照明器具は、その通信信号ｓに含まれる情報に基づいた発光態様で発光し、所定の待ち時間が経過した後に隣接の照明器具へ通信信号ｓを送信する。これにより、各照明器具１、２、３・・が順々に発光動作を行い、時間差を持たすなどの変化を与えることができる。【選択図】図１
2010003622.tif 000002
【特許請求の範囲】
【請求項１】
入力部及び該入力部への入力に応じた通信信号を送信する送信部を有するリモコンと、受信部及び送信部を有し複数配置された照明器具とを備える照明システムであって、
前記リモコンの送信部と、前記照明器具の送信部及び受信部とは、隣接した照明器具との間で無線通信することが可能な電力レベルで通信を行い、
前記照明器具は、リモコン又は他の照明器具からの通信信号の受信をトリガに、新たに通信信号を生成して通信を行い、
前記受信部及び送信部は、受信方向及び送信方向が固定されており、一定方向からのみ信号を受信し、一定方向へのみ送信することで照明器具の配置に応じた通信順で通信し、
前記通信信号には、照明器具の発光態様を指定する情報と、受信から送信までの待ち時間に関する情報が含まれており、
各照明器具は、通信信号を受信したとき、その通信信号に基づいた所定の待ち時間後に、隣接する照明器具へ通信信号を送信すると共に、所定の発光態様で発光動作を開始することを特徴とする照明システム。
【発明の詳細な説明】
【技術分野】
【０００１】
本発明は、リモコンと、該リモコンからの信号に基づいた発光態様で発光する複数の照明器具とを備える照明システムに関する。
【背景技術】
【０００２】
従来から、例えばショーウインドウ等の照明システムにおいて、照明領域が順に移動することによって展示物を際立たせる特殊な光演出効果を奏する照明システムが知られている。この照明システムは、通常、所定のラインに沿って配置され受信部を有する複数の照明器具と、各照明器具に発光のための制御信号を無線送信するリモコンとを備えており、上記のように照明領域が順に移動する照明態様とするときには、リモコンから各照明器具へ所定の時間差を持って発光信号を送信する。
【０００３】
一方、床面に設置された複数の照明器具が、該床面上を移動する人物の移動軌跡に沿うようにして順に異なった光色で発光する電飾システムが知られている（例えば、特許文献１参照）。この電飾システムは、床面の各照明器具が人物の位置を検知するフォトセンサを有しており、各照明器具が人物を検知した時点で発光することにより、発光位置が人物を追って移動するようになっている。
【特許文献１】特開２００６−１８５７６５号公報
【発明の開示】
【発明が解決しようとする課題】
【０００４】
ところで、上記のリモコンと複数の照明器具とを備える照明システムでは、複数の照明器具の各々がリモコンの送信する制御信号を受信するようになっているので、各照明器具を一斉に発光動作させることは容易であるが、各照明器具を、それらが配置された順に時間差を持って発光するように制御することは容易ではなかった。
【０００５】
具体的には、例えば、各照明器具にＩＤを付しておき、リモコンから送信する制御信号の中にＩＤ毎に異なった発光開始時間となるような情報を含め、かつ、各照明器具をＩＤが予め決められた順になるように配置しなければならない。また、各照明器具には配置位置と関連したＩＤが付されるので、一旦所定位置に配置された照明器具の位置を変更することができず、例えば、ショーウインドウ等のように模様替えを行う場合がある場所には適していなかった。
【０００６】
本発明は、上記課題を解決するものであり、リモコンと、該リモコンからの信号に基づいた発光態様で発光する複数の照明器具とを備える照明システムにおいて、複数の照明器具の配置の順に発光動作させ、それら各発光動作に時間差を持たすなど変化を与えることができ、しかも各照明器具の配置の変更、及び個数の追加や削減を簡易に行うことができる照明システムを提供することを目的とする。
【課題を解決するための手段】
【０００７】
上記目的を達成するために、請求項１の発明は、入力部及び該入力部への入力に応じた通信信号を送信する送信部を有するリモコンと、受信部及び送信部を有し複数配置された照明器具とを備える照明システムであって、前記リモコンの送信部と、前記照明器具の送信部及び受信部とは、隣接した照明器具との間で無線通信することが可能な電力レベルで通信を行い、前記照明器具は、リモコン又は他の照明器具からの通信信号の受信をトリガに、新たに通信信号を生成して通信を行い、前記受信部及び送信部は、受信方向及び送信方向が固定されており、一定方向からのみ信号を受信し、一定方向へのみ送信することで照明器具の配置に応じた通信順で通信し、前記通信信号には、照明器具の発光態様を指定する情報と、受信から送信までの待ち時間に関する情報が含まれており、各照明器具は、通信信号を受信したとき、その通信信号に基づいた所定の待ち時間後に、隣接する照明器具へ通信信号を送信すると共に、所定の発光態様で発光動作を開始するものである。
【発明の効果】
【０００８】
請求項１の発明によれば、照明器具の配置に応じた一定の方向の通信順で通信し、通信信号に情報を持たせているので、照明器具の配置に応じて照明発光の時間差や光質、さらには、順々に動作する速度に変化を与えることが可能となり、また、これらの動作を無線で行うことができるので、照明器具の配置の変更や、器具の数の追加や削減を簡易に行うことができる。
【発明を実施するための最良の形態】
【０００９】
（第１の実施形態）
以下、本発明の第１の実施形態に係る照明システムについて図１乃至図５を参照して説明する。本実施形態の照明システム１００は、図１に示されるように、例えば１０ｃｍ程度の近接した間隔で一列に配置された複数の照明器具１、２、３・・と、これら照明器具の列の一端の照明器具１へ通信信号ｓを送信するリモコン２０とを備える。照明器具１、２、３・・は、それぞれ同じ構成でよく、ここでは３個を示すが、照明システム１００が設置される場所に応じて適宜増減すればよい。
【００１０】
リモコン２０は、ユーザがキーを操作することにより所定の情報を入力することができる入力部２１と、該入力部２１を介して入力された情報に応じた通信信号ｓを送信する送信部２２と、を備える。送信部２２は、例えばＬＥＤ等の発光素子からなり、通信信号ｓとしての赤外光を出力する。
【００１１】
各照明器具１、２、３・・は、略直方形の筐体を有し、その長手方向が照明器具の並ぶ列方向に沿うようにして配置される。また、各照明器具１、２、３・・は、筐体の上面１０ａに複数個のＬＥＤからなる光源１１を備え、長手方向の前方側の側面１０ｂに通信信号の受信部１２、長手方向の後方側の側面１０ｃに通信信号の送信部１３を、それぞれ備えている。受信部１２は例えばフォトダイオード等の受光素子からなり、送信部１３は例えばＬＥＤ等の発光素子からなる。
【００１２】
本実施形態では、リモコン２０の送信部２２の出力と、各照明器具の送信部１３及び受信部１２の出力が、照明器具１、２、３・・同士の間隔よりも僅かに長い程度の到達距離（例えば、約１５ｃｍ）になる電力レベルに設定されており、リモコン２０の送信部２２が送信する通信信号ｓは、列の端の照明器具１の受信部１２のみによって受信され、照明器具１の送信部１３が送信する通信信号ｓは、２番目の照明器具２の受信部１２のみによって受信されるようになっている。以下、同様に、リモコン２０に近い側の照明器具が送信する通信信号ｓは、その照明器具に隣接しリモコン２０から遠い方の照明器具のみによって受信される。これにより、リモコン２０が送信した通信信号ｓが、照明器具１、２、３・・の配置に応じた通信順で通信される。
【００１３】
なお、リモコン２０の送信部２２と各照明器具１、２、３・・の受信部１２及び送信部１３は、赤外線を用いた通信手段に限られず電波を送受信する通信手段で構成されてもよい。この場合にもリモコン２０の送信部２２は、１番目の照明器具１の受信部１２との間でのみ無線通信が可能な電力レベルに設定され、各照明器具の受信部１２及び送信部１３は、隣接する照明器具との間でのみ無線通信が可能な電力レベルに設定される。
【００１４】
次に、図２を参照して、リモコン２０と、代表して照明器具１の電気的構成について説明する。リモコン２０は、入力部２１を介して入力された情報に応じた通信信号ｓを生成する制御部２３をさらに備えている。通信信号ｓとしては、例えばパルス信号が採用され、本実施形態では、各照明器具が実行するべき制御パターンの情報が通信データとして含まれる。制御パターンの情報については後述する。
【００１５】
照明器具１は、受信部１２が受信した通信信号ｓに応じた照明制御を行うと共に、所定の待ち時間後に送信部１３を介して通信信号ｓを送信する制御部１４を備える。具体的には、制御部１４はマイクロプロセッサから構成され、受信部１２から通信信号ｓを受信すると、記憶部１５に予め記憶された制御パターンテーブルを参照して、通信信号ｓに含まれる制御パターンの情報に対応する送信待ち時間のデータと、照明制御パターンのデータとを読み出す。制御部１４は、読出した送信待ち時間のデータに応じた時間だけタイマ１６により計時し、待ち時間が経過した後に送信部１３を介して通信信号ｓを隣接した照明器具へ送信し、また、自照明器具が読み出した照明制御パターンのデータに応じた発光態様になるように、照明制御部１７を介して光源１１を照明制御する。
【００１６】
次に、図３を参照して、記憶部１５に記憶された制御パターンテーブルＴ１の例について説明する。本例では、照明器具の制御パターンとして３種類のパターンが記憶されている。具体的には、各照明器具１、２、３・・の照度が所定時間ずつ遅れて変化し、ショーウインドウ等の被照明領域全体に波のイメージを表現できる第１の制御パターンＰ１と、各照明器具１、２、３・・の照度が同期して変化し、被照明領域全体が周期的に明暗を繰り返す第２の制御パターンＰ２と、各照明器具１、２、３・・が０．５秒ずつ遅れて点滅し、被照明領域の明るい部分と暗い部分が交互に入れ替わる第３の制御パターンＰ３と、が記憶されている。
【００１７】
第１の制御パターンＰ１には、照明制御パターンのデータとして、周期が４秒であって、調光率が４０〜１００％の範囲でサイン波状に変化するデータが記憶されており、送信待ち時間のデータとして周期の１／８の時間、つまり０．５秒が記憶されている。
【００１８】
第２の制御パターンＰ２には、照明制御パターンのデータとして、周期が５秒であって、調光率が４０〜１００％の範囲でサイン波状に変化するデータが記憶されており、送信待ち時間のデータとしてゼロが記憶されている。
【００１９】
第３の制御パターンＰ３には、照明制御パターンのデータとして、０．５秒毎に点滅を繰り返すデータが記憶されており、送信待ち時間のデータとして０．５秒が記憶されている。
【００２０】
次に、図１乃至図３に加えて、図４及び図５を参照して、照明システム１００の動作について説明する。図４は、通信信号ｓがリモコン２０から照明器具１、２を経て照明器具３へ順に通信されていく過程を時間経過に沿った４段階で示し、図５は、各照明器具１、２、３・・８の調光率の時間変化態様を示す。以下、ユーザが第１の制御パターンＰ１を選択した場合について説明する。図４において、まず、ユーザがリモコン２０を照明器具１に近づけて入力部２１を操作して制御パターンＰ１を選択し送信操作を行うことにより、送信部２２から制御パターンがＰ１であることを示すデータが含まれた通信信号ｓが送信される。
【００２１】
通信信号ｓを受信した照明器具１の制御部１４は、照明制御部１７を介して光源１１を、周期が４秒であって、調光率が４０〜１００％の範囲でサイン波状に変化するように制御を開始する（図４の最上段）。このとき、図５に示すように、照明器具１の光源１１が時点ｈ１で発光動作を開始し、その後、調光率がサイン波状に変化しつつ発光制御される。
【００２２】
照明器具１の制御部１４は、タイマ１６の計時により１／８周期に相当する０．５秒が経過した時点で、送信部１３を介して通信信号ｓを照明器具２へ向けて送信する。通信信号ｓを受信した照明器具２の制御部１４は、照明器具１と同様に、光源１１を、周期が４秒であって、調光率が４０〜１００％の範囲でサイン波状に変化するように制御を開始する（図４の上から２段目）。このとき、図５に示すように、照明器具２の光源１１が、照明器具１から０．５秒遅れた時点ｈ２で発光動作を開始し、その後、調光率がサイン波状に変化しつつ発光制御される。
【００２３】
以下、同様に、０．５秒が経過した後に照明器具２が照明器具３へ通信信号ｓを送信し、照明器具３が所定の照明制御を開始する（図４の上から３段目）。さらに０．５秒が経過した後に照明器具３が照明器具４へ通信信号ｓを送信する（図４の最下段）。このとき、図５に示すように、照明器具３以降の照明器具が、順々に０．５秒ずつ遅れた時点ｈ３、ｈ４・・で発光動作を開始して発光制御される。
【００２４】
以上のようにして、各照明器具１、２、３・・８は、０．５秒ずつ遅れてサイン波状に調光率が変化する発光動作を開始するので、ショーウインドウ等の被照明領域の明るい部分が順に移動して行き、ユーザに波をイメージさせる照明態様を実現することができる。ユーザがリモコン２０を操作して別の制御パターンＰ２、Ｐ３を入力した場合には、各照明器具１、２、３・・８は、その制御パターンに応じた照明制御パターンで光源１１を調光制御する。
【００２５】
なお、各照明器具１、２、３・・間の通信は無線により行われ、各照明器具１、２、３・・の構成は同一であるので、各照明器具の位置を無線の到達する範囲内で変更することができ、照明器具の位置を入れ替えることも可能である。また、照明器具の個数を増減することも容易に行うことができる。
【００２６】
（第２の実施形態）
本発明の第２の実施形態に係る照明システムについて図６乃至図８を参照して説明する。第２の実施形態に係る照明システムは、第１の実施形態と同一の構成を有し、制御の内容を相違する。すなわち、本実施形態の第１の実施形態と相違するところは、第１に、通信信号ｓに含めた情報が、制御パターンに関する情報の他に、当該通信信号が何台の照明器具１、２、３・・を経由した通信信号であるかを示す経由台数情報を含むものとしていることである。第２に、各照明器具１、２、３・・の記憶部１５に記憶された制御パターンテーブルＴ１の送信待ち時間のデータが、図６及び図７に示されるように、別のテーブル（以下、送信待ち時間テーブル）を参照して決定される可変データとしていることである。
【００２７】
上記送信待ち時間テーブルは、各照明器具の配置位置に対応した送信待ち時間を記憶したテーブルであって、各照明器具１、２、３・・の制御部１４は、通信信号ｓを受信すると、該通信信号ｓに含まれる経由台数情報から、照明器具の列における自照明器具が配置された順番を認識し、その順番に対応する送信待ち時間を、送信待ち時間テーブルを参照することによって決定する。通信信号ｓは、照明器具１、２、３・・の配置に沿って順々に通信され、各照明器具の位置が通信順に対応している。
【００２８】
上記を詳細に説明する。照明器具１、２、３・・の記憶部１５に記憶された制御パターンテーブルＴ１は、図６に示すように、第１の実施形態と同様に３種類の制御パターンＰ１、Ｐ２、Ｐ３を記憶しているが、第１と第３の制御パターンＰ１、Ｐ３の送信待ち時間のデータについては送信待ち時間テーブルを参照するようになっている。
【００２９】
送信待ち時間テーブルＴ２は、図７に示すように、１番目の照明器具に、送信待ち時間としてｔ１＝０．２５秒が設定されており、２番目の照明器具に、送信待ち時間としてｔ２＝０．３秒が設定され、以下、同様に、照明器具の配置順番に対応する送信待ち時間が設定されている。
【００３０】
従って、各照明器具１、２、３・・の制御部１４は、通信信号ｓを受信したときに、その通信信号ｓに含まれる制御パターンに関する情報が制御パターンＰ１又はＰ３であったときには、さらにその通信信号ｓに含まれる経由台数情報から配置順番を算出し、算出した順番に対応する送信待ち時間を送信待ち時間テーブルＴ２を参照して決定する。
【００３１】
いま、ユーザが制御パターンＰ１を選択した場合について説明する。通信信号ｓが照明器具１、２・・を経て順番に通信される態様は、第１の実施形態と同一であるので、図４を便宜的に参照して説明する。まず、ユーザがリモコン２０を操作して制御パターンＰ１を入力すると、リモコン２０は、制御パターンがＰ１であることを示すデータと共に経由台数情報がゼロであることを示すデータとを含んだ通信信号ｓを送信する。この通信信号ｓを受信した照明器具１は、制御パターンテーブルＴ１の制御パターンＰ１に関するデータを参照して照明制御パターンに関するデータを取得すると共に、通信信号ｓに含まれる経由台数情報ゼロに「１」を加えて自機の通信順番が１番であることを認識する。
【００３２】
これにより、図８に示すように、照明器具１は、送信待ち時間テーブルＴ２を参照して１番目の順番に対応する「ｔ１＝０．２５秒」を送信待ち時間として決定し、０．２５秒後に照明器具２へ向けて通信信号ｓを送信する。このとき、照明器具１が送信する通信信号ｓには、制御パターンが第１の制御パターンＰ１であることを示すデータと、経由台数情報が「１」であることを示すデータとが含まれる。照明器具１が時点ｈ１において第１の制御パターンＰ１に従った光源１１の発光動作を開始し、ｔ１＝０．２５秒後に通信信号ｓを送信する。
【００３３】
以降の各照明器具２、３・・は、同様に、通信信号ｓを受信したときに、その通信信号に含まれる制御パターン情報に従った第１の制御パターンＰ１で光源１１の発光動作を開始させると共に、受信した経由台数の情報から自照明器具の順番を算出し、その順番に対応する送信待ち時間ｔ２＝０．３秒、ｔ３＝０．７５秒・・の後に隣接する照明器具へ通信信号を送信する。
【００３４】
以上のようにして、各照明器具１、２、３・・８は、それぞれ異なった送信待ち時間ｔ１、ｔ２・・だけ遅れてサイン波状に調光率が変化する発光動作を開始するので、ショーウインドウ等の被照明領域に進行速度に緩急の変化がついた波のイメージの照明態様が得られる。また、記憶部１５に記憶される送信待ち時間テーブルＴ２のデータを変更することによって、表現される波のイメージの進行速度の変化の態様を容易に変更することができる。
【００３５】
（第３の実施形態）
本発明の第３の実施形態に係る照明システムについて、図９を参照して説明する。第３の実施形態に係る照明システムの第２の実施形態と相違するところは、第１に、各照明器具１、２、３・・の記憶部１５に記憶された送信待ち時間テーブルＴ２が複数であり、各送信待ち時間テーブルのデータが異なった値に設定されていることである。第２に、通信信号ｓに、制御部１４が複数の送信待ち時間テーブルＴ２のうちいずれの送信待ち時間テーブルＴ２を参照して送信待ち時間を決定すべきであるかを示すデータを含めたことである。
【００３６】
具体的には、図９に示されるように、第１、第２の送信待ち時間テーブルＴ２１、Ｔ２２を記憶部１５に記憶させておき、リモコン２０の入力部２１を、ユーザが送信待ち時間テーブルＴ２１、Ｔ２２のうちいずれを用いるかを入力できる構成とする。この例では、第２の送信待ち時間テーブルＴ２２に設定された各データは、第１の送信待ち時間テーブルＴ２１に設定された各データの２倍の値になっている。
【００３７】
いま、ユーザがリモコン２０を操作して、第１の送信待ち時間テーブルＴ２１を用いる旨を入力すると、各照明器具１、２、３・・は、それぞれ第１の送信待ち時間テーブルＴ２１のデータに従った待ち時間ｔ１、ｔ２・・だけ遅れて隣接する照明器具へ通信信号を送信し、ショーウインドウ等の被照明領域には、第１の送信待ち時間テーブルＴ２１のデータを反映した態様で波のイメージの照明がなされる。ユーザが第２の送信待ち時間テーブルＴ２２を選択した場合には、被照明領域に第２の送信待ち時間テーブルＴ２２のデータを反映した異なった波のイメージの照明がなされる。上記の場合には、第２の送信待ち時間テーブルＴ２２のデータを反映した照明態様の方が、第１の送信待ち時間テーブルＴ２１のデータを反映したものよりも、波のイメージの進行速度が遅くなる。このように、被照明領域への照明態様を多数種類に亘って変化させることができる。
【００３８】
なお、照明器具１、２、３・・毎に異なった送信待ち時間で通信信号を送信するのではなく、第１の実施形態のように、各照明器具１、２、３・・が同一の送信待ち時間に基づいて送信動作をする場合には、リモコン２０が送信する通信信号ｓに、制御パターンの情報の他に、具体的な送信待ち時間の値を直接含ませておくことができる。
【００３９】
また、リモコン２０が送信する通信信号ｓに、各照明器具１、２、３・・の照明制御部１７の制御パラメータを変更する情報を含め、それによって各照明器具１、２、３・・の光源１１の光質を変更することもできる。
【００４０】
（第４の実施形態）
本発明の第４の実施形態に係る照明システムについて説明する。第４の実施形態に係る照明システムの第１の実施形態と相違するところは、通信信号ｓの通信形式に関し、リモコン２０が送信する通信信号ｓの通信形式と、各照明器具１、２、３・・間における通信信号ｓの通信形式とを異なるものにしたことである。具体的には、リモコン２０から照明器具１への通信信号ｓの通信形式をパルス位相変調方式とし、各照明器具１、２、３・・間における通信信号ｓの通信形式をパルス幅変調方式とする。
【００４１】
これにより、リモコン２０の送信部２２から送信される通信信号ｓは、必ず先頭の照明器具１によって受信され、その他の照明器具２、３・・によっては受信されなくなるので、リモコン２０の送信部２２の出力電力レベルを大きくして、ユーザが、リモコン２０を、照明器具１から離間した位置で操作をすることができる。例えば、各照明器具１、２、３・・がショーウインドウ内に配置された場合に、ユーザは、リモコン２０をショーウインドウの外側で操作して、各照明器具１、２、３・・に所定の態様の発光動作を行わせることができる。
【００４２】
なお、本発明は、以上の実施形態に限られず他にも種々の変形が可能である。例えば、上記実施形態では、照明器具１、２、３・・が一列に近接して配置されたものを示したが、この配置は必ずしも一列状である必要はなく、適宜にばらついて配置されていても構わない。
【図面の簡単な説明】
【００４３】
【図１】本発明の第１の実施形態に係る照明システムの構成図。
【図２】同照明システムのリモコンと照明器具の電気的ブロック図。
【図３】同照明システムにおける制御パターンテーブルの一例を示す図。
【図４】同照明システムにおいて、リモコンから照明器具へと配置順に通信が行われる態様を段階毎に示した図。
【図５】同照明システムにおいて各照明器具の光源が遅れて発光する態様を示す図。
【図６】本発明の第２の実施形態に係る照明システムにおける制御パターンテーブルの一例を示す図。
【図７】同照明システムにおける送信待ち時間テーブルの一例を示す図。
【図８】同照明システムにおいて各照明器具の光源が遅れて発光する態様を示す図。
【図９】本発明の第３の実施形態に係る照明システムにおける記憶部に記憶された２種類の送信待ち時間テーブルの一例を示す図。
【符号の説明】
【００４４】
１、２、３・・  照明器具
１２  受信部
１３  送信部
２０  リモコン
２１  入力部
２２  送信部
１００  照明システム
ｓ  通信信号
ｔ１、ｔ２・・  待ち時間
【図１】
2010003622.tif 000003
【図２】
2010003622.tif 000004
【図３】
2010003622.tif 000005
【図４】
2010003622.tif 000006
【図５】
2010003622.tif 000007
【図６】
2010003622.tif 000008
【図７】
2010003622.tif 000009
【図８】
2010003622.tif 000010
【図９】
2010003622.tif 000011